(57)【要約】充填システム１０は、容器Ｖの搬送を行う搬送室１９と、容器Ｖに内容物を充填する充填ヘッド３８を配置した充填室３０と、各室間の圧力状態をコントロールする圧力制御手段４４と、搬送室１９と充填室３０との間に設けられた中間室３６と、搬送室１９と中間室３６とを区画可能なシャッタ４０とを備える。シャッタ４０により充填室３０が区画される際に、圧力制御手段４４は、中間室３６の圧力を搬送室１９および充填室３０の圧力よりも低くなるように制御する。
2018052048.tif 000002
【特許請求の範囲】
【請求項１】
容器の搬送を行う搬送室と、
前記容器に内容物を充填する充填手段を配置した複数の充填室と、
これら各室間の圧力状態をコントロールする圧力制御手段とを備えた充填システムであって、
前記搬送室と前記充填室との間に中間室が設けられ、
前記搬送室と前記中間室とを区画可能な開閉扉が設けられ、
前記開閉扉により少なくとも１つの前記充填室が区画される際に、前記圧力制御手段は、前記中間室の圧力を前記搬送室および前記充填室の圧力よりも低くなるように制御する
ことを特徴とする充填システム。
【請求項２】
前記圧力制御手段が、前記充填室の圧力を前記搬送室の圧力よりも低くなるように制御することを特徴とする請求項１に記載の充填システム。
【発明の詳細な説明】
【技術分野】
【０００１】
本発明は、一部の充填機で充填作業を行いつつ、使用していない充填機の洗浄作業が可能な複数の充填機を備える充填システムに関し、詳しくは、充填機を配置したチャンバ内の圧力制御を行う圧力制御手段を備える充填システムに関する。
【背景技術】
【０００２】
例えば２台の第１、第２充填機を備える充填システムにおいて、第１運転モードでは、第１、第２充填機で別々の液体を順次容器に充填し、第２運転モードでは第２充填機のみを用いて１種類の液体のみを容器に充填しながら、使用していない第１充填機の洗浄を行う充填システムが知られている（特許文献１参照）。【０００３】
同充填システムでは、第２運転モードにおいて、第１充填機をバイパスして第２充填機へと容器を直接搬送するためのバイパスホイールを備える。第１充填機やバイパスホイールの上流側に配置されるリンサからの容器を排出するリンサ排出ホイールは、第１運転モードでは、第１充填機へと容器を供給する第１搬送ホイールへと容器を受け渡し、第２運転モードでは、バイパスホイールへと容器を受け渡す。【０００４】
また第２運転モードにおいて第１充填機の洗浄を可能にするためには、第１充填機が配置される区画をバイパスホイールが配置される区画から隔離する必要がある。そのため特許文献１の構成では、第１搬送ホイール、第１供給ホイールを介して第１充填機に容器が供給され、第１排出ホイール、第２搬送ホイールを介して第１充填機から容器が排出される。そして第１搬送ホイールと第１供給ホイールの間、および第１排出ホイールと第２搬送ホイールの間には、仕切り壁が設けられ、それぞれシャッタを備えた開口部を通して容器の受け渡しが行われる。さらに、バイパスホイールが配置される第１チャンバおよび、第１充填機が配置される第２チャンバの圧力をそれぞれ調整する圧力調整手段が設けられており、使用していない第１充填機の洗浄を行う際、第２チャンバ内の雰囲気が第１チャンバ側に漏れ出さないように、第２チャンバ内の圧力を第１チャンバ内の圧力よりも低い圧力に制御している。
【先行技術文献】
【特許文献】
【０００５】
【特許文献１】特開２０１４−２１３８７７号公報
【発明の概要】
【発明が解決しようとする課題】
【０００６】
しかし、特許文献１に記載の構成では、シャッタにより仕切り壁の開口部を完全に密閉することができず僅かな隙間が生じるので、洗浄中の充填機を配置したチャンバ内の雰囲気が、他のチャンバまで流入してくる危険性があった。【０００７】
本発明は、一部の充填機で充填作業を行いつつ、使用していない充填機の洗浄作業が可能な充填システムであって、洗浄作業中の充填機を配置したチャンバ内の雰囲気が、他のチャンバへ流入することを防止する充填システムを提供することを課題としている。
【課題を解決するための手段】
【０００８】
本発明の充填システムは、容器の搬送を行う搬送室と、前記容器に内容物を充填する充填手段を配置した複数の充填室と、これら各室間の圧力状態をコントロールする圧力制御手段とを備えた充填システムであって、前記搬送室と前記充填室との間に中間室が設けられ、前記搬送室と前記中間室とを区画可能な開閉扉が設けられ、前記開閉扉により少なくとも１つの前記充填室が区画される際に、前記圧力制御手段は、前記中間室の圧力を前記搬送室および前記充填室の圧力よりも低くなるように制御することを特徴としている。【０００９】
例えば前記圧力制御手段は、前記充填室の圧力を前記搬送室の圧力よりも低くなるように制御する。
【発明の効果】
【００１０】
本発明によれば、一部の充填機で充填作業を行いつつ、使用していない充填機の洗浄作業が可能な充填システムにおいて、洗浄作業中の充填機を配置したチャンバ内の雰囲気が、他のチャンバへ流入することを防止する充填システムを提供することができる。
【図面の簡単な説明】
【００１１】
【図１】本実施形態の充填システムにおける配置を示す平面図である。
【図２】充填室、中間ゾーン、搬送室の関係を示す側断面図である。
【図３】搬送室から開口部を通して供給／排出ホイールが設置された中間ゾーンを見た矢視図である。
【図４】充填室、中間ゾーン、搬送室における供給／排出ホイールの配置を示す平面図である。
【発明を実施するための形態】
【００１２】
以下、本発明の実施の形態を、図面を参照して説明する。図１は、本発明の一実施形態である充填システムの構成を示す平面図である。
【００１３】
本実施形態の充填システム１０は、例えば３台の充填機、第１〜第３フィラ１２、１４、１６を備える。第１〜第３フィラ１２、１４、１６は、容器搬送を行うセンターホイール（搬送ホイール）１８の周囲に配置される。第１〜第３フィラ１２、１４、１６、およびセンターホイール１８は、一体的なチャンバ内に配置され、同チャンバ内は壁面で仕切られ、第１〜第３フィラ１２、１４、１６が設置される第１〜第３充填室１３、１５、１７と、センターホイール１８が設置される搬送室１９に区画される。
【００１４】
また本実施形態において、第１〜第３フィラ１２、１４、１６とセンターホイール１８の間には、センターホイール１８から空容器を受け取り、第１〜第３フィラ１２、１４、１６の各々に受け渡すロータリ式の第１〜第３供給ホイール１２Ａ、１４Ａ、１６Ａと、第１〜第３フィラ１２、１４、１６の各々から充填容器を受け取りセンターホイール１８に受け渡すロータリ式の第１〜第３排出ホイール１２Ｂ、１４Ｂ、１６Ｂが各々設けられる。第１〜第３充填室１３、１５、１７と搬送室１９との間には、それぞれ第１〜第３中間ゾーン（中間室）１３Ｍ、１５Ｍ、１７Ｍが設けられ、第１〜第３供給ホイール１２Ａ、１４Ａ、１６Ａおよび第１〜第３排出ホイール１２Ｂ、１４Ｂ、１６Ｂは、それぞれ対応する第１〜第３中間ゾーン１３Ｍ、１５Ｍ、１７Ｍに配置される。
【００１５】
すなわち、センターホイール１８から第１フィラ１２へは、第１供給ホイール１２Ａを介して容器が供給可能であり、第１フィラ１２で充填処理された容器は、第１排出ホイール１２Ｂを介してセンターホイール１８へと排出される。同様に、センターホイール１８から第２、３フィラ１４、１６には、それぞれ供給ホイール１４Ａ、１６Ａを介して容器が供給可能であり、充填された容器は、排出ホイール１４Ｂ、１６Ｂを介して第２、第３フィラ１４、１６からセンターホイール１８へと排出される。
【００１６】
本実施形態では、センターホイール１８の周囲において容器搬送方向の上流側から第１、第２、第３フィラ１２、１４、１６の順で配置される。第１フィラ１２は、例えば固形物フィラであり、第２フィラ１４は、例えばウェイトフィラ（無ガス）である。また第３フィラ１６は、例えばガスフィラ（ガス・無ガス）である。センターホイール１８には、第１フィラ１２よりも上流側において、搬送ホイール２０、２２、２４を介して空の容器が供給される。搬送ホイール２０、２２、２４は、例えば容器滅菌室２１内に配置され、滅菌された空の容器が容器滅菌室２１から搬送室１９内のセンターホイール１８へと供給される。
【００１７】
本実施形態の充填システム１０では、第１〜第３フィラ１２、１４、１６の少なくとも１つにおいて、固体、液体、気体の何れかあるいはそれらを組み合わせた内容物が容器に充填される。そして各フィラにおいて充填作業が実施された容器はセンターホイール１８へと受け渡される。
【００１８】
またセンターホイール１８の周囲において第３フィラ１６の下流側には、例えば充填容器のキャッピングを行うキャッパが配置される。本実施形態では、例えば口径の異なるキャップに対応する複数のキャッパが配置され、図示例では、２台の第１キャッパ２６および第２キャッパ２８が設けられる。第１、２キャッパ２６、２８は、例えばキャッパ室２７内に設置され、充填システム１０において充填が完了した容器は、センターホイール１８から第１、第２キャッパ２６、２８の何れかに受け渡され、キャッピングが完了すると更に下流側の処理装置へと搬出される。
【００１９】
次に図２を参照して、本実施形態における第１〜第３充填室１３、１５、１７、第１〜第３中間ゾーン１３Ｍ、１５Ｍ、１７Ｍ、搬送室１９、第１〜第３フィラ１２、１４、１６、供給ホイール１２Ａ、１４Ａ、１６Ａ、排出ホイール１２Ｂ、１４Ｂ、１６Ｂ、センターホイール１８の間の関係についてより詳細に説明する。なお、これらの配置は、第１〜第３充填室１３、１５、１７において共通なので、以下の説明では各々の代表例を挙げて説明を行なう。
【００２０】
図２は、搬送室、中間ゾーン（中間室）、充填室の間の関係を示す側断面図である。図２において、第１〜第３充填室１３、１５、１７は充填室３０で代表され、第１〜第３フィラ１２、１４、１６はフィラ（充填機）３２で代表される。同様に供給ホイール１２Ａ、１４Ａ、１６Ａ、排出ホイール１２Ｂ、１４Ｂ、１６Ｂは供給／排出ホイール３４で代表され、第１〜第３中間ゾーン１３（中間室）Ｍ、１５Ｍ、１７Ｍは中間ゾーン（中間室）３６で代表される。
【００２１】
図示されるように、搬送室１９と中間ゾーン３６の間は仕切壁３６Ａで仕切られ、中間ゾーン３６と充填室３０の間は仕切壁３０Ａで仕切られる。そして搬送室１９内にはセンターホイール１８、中間ゾーン３６内には供給／排出ホイール３４、充填室３０内にはフィラ３２が配置される。
【００２２】
センターホイール１８、供給／排出ホイール３４、フィラ３２は、例えばネック搬送を行い、各装置のホイールの外周には、容器Ｖの口部あるいは首部を保持するグリッパが周方向に沿って多数設けられる。例えばセンターホイール１８にはグリッパ１８Ｇが設けられ、供給／排出ホイール３４にはグリッパ３４（容器把持／保持手段）Ｇが設けられる。同様にフィラ３２にはグリッパ３２Ｇが設けられる。
【００２３】
中間ゾーン３６と充填室３０の間を仕切る仕切壁３０Ａには、開口部３０Ｂが設けられる。中間ゾーン３６内に設置された供給／排出ホイール３４のグリッパ３４Ｇは、グリッパ３４Ｇを支持する回転ホイール３４Ｈとともに開口部３０Ｂを通して充填室３０内へと延出する。すなわち供給／排出ホイール３４のグリッパ３４Ｇは、充填室３０内においてフィラ３２のグリッパ３２Ｇとの間で容器Ｖの受け渡しを行う。なお、開口部３０Ｂの大きさや形状は、グリッパ３４Ｇ、回転ホイール３４Ｈ、容器Ｖが中間ゾーン３６と充填室３０との間で行き来するのに支障がなければなるべく小さい方が好ましい。
【００２４】
充填室３０内において、フィラ３２のグリッパ３２Ｇの上方には、フィラ３２のホイール外周に沿って各グリッパ３２Ｇに対応した位置に充填ヘッド（充填手段）３８が各々設けられる。グリッパ３２Ｇで保持される空の容器Ｖには、ホイール回転中に充填ヘッド３８から所定の内容物が供給される。
【００２５】
また、中間ゾーン３６と搬送室１９の間を仕切る仕切壁３６Ａには、開口部３６Ｂが設けられる。供給／排出ホイール３４のグリッパ３４Ｇは、グリッパ３４Ｇを支持する回転ホイール３４Ｈとともに開口部３６Ｂを通して搬送室１９内へと延出する。すなわち供給／排出ホイール３４のグリッパ３４Ｇは、搬送室１９内においてセンターホイール１８のグリッパ１８Ｇとの間で容器Ｖの受け渡しを行う。なお、開口部３６Ｂは略矩形の開口であり、その大きさはグリッパ３４Ｇ、回転ホイール３４Ｈ、容器Ｖが中間ゾーン３６と搬送室１９との間で行き来するのに支障がない大きさとされる。
【００２６】
開口部３６Ｂには、その近傍に開口部３６Ｂを閉鎖可能なシャッタ（開閉扉、開閉手段）４０が設けられる。シャッタ４０は、例えば後述するようにラックアンドピニオン機構により駆動され、同機構はチャンバ外側に設けたモータ４０Ｍにより駆動される。また、この実施例では、シャッタ４０により仕切り壁３６Ａの開口部３８Ｂを完全に密閉することができず、僅かな隙間が生じる。
【００２７】
また、シャッタ４０により開口部３６Ｂを閉鎖するには、開口部３６Ｂを通して搬送室１９内へと延出する供給／排出ホイール３４の回転ホイール３４Ｈおよびこれに取り付けられたグリッパ３４Ｇを開口部３６Ｂから移動する必要がある。
【００２８】
本実施形態では、後述するように、回転ホイール３４Ｈの一部円弧区画に対応する可動区画３４１を、これに取り付けられるグリッパ３４Ｇとともに、可動区画３４１以外の回転ホイール３４Ｈの円弧区画を構成する固定区画３４０に対して少なくとも上下の一方の側に相対的に昇降可能とし、中間ゾーン３６内において上下の何れか一方に可動区画３４１をずらした後、これを回転ホイール３４Ｈの回転軸を中心に固定区画３４０に対して相対回転可能とし、可動区画３４１を固定区画３４０の上方または下方に位置する退避位置にまで回転移動可能としている。
【００２９】
本実施形態において可動区画３４１は、供給／排出ホイール３４に設けられる昇降シリンダ４２Ｃにより昇降され、回転機構４２Ｒにより供給／排出ホイール３４の回転軸を中心に回転される。なお図２には、可動区画３４１が固定区画３４０に対して上方へ相対移動可能な例が示される。
【００３０】
開口部３６Ｂをシャッタ４０で閉鎖する際には、可動区画３４１を退避位置にまで移動した後、回転ホイール３４Ｈを回転して、退避された可動区画３４１が退避前に配置されていた部分を開口部３６Ｂに配置し、これにより回転ホイール３４Ｈを開口部３６Ｂから退避させ、開口部３６Ｂを閉鎖するシャッタ４０と回転ホイール３４Ｈが干渉しないようにされる。
【００３１】
また、充填システム１０は、圧力制御装置（圧力制御手段）４４を備える。圧力制御装置４４は、フィラ３２を使用する場合、すなわちセンターホイール１８、供給／排出ホイール３４、フィラ３２の間で容器が受け渡しされる場合（第１運転モード）には、搬送室１９、中間ゾーン３６、充填室３０の順で圧力が高くなるようにエアの供給が制御される（搬送室１９＜中間ゾーン３６＜充填室３０）。一方、フィラ３２を除く他のフィラが使用され、フィラ３２を洗浄する場合（第２運転モード）、すなわち可動区画３４１が退避位置に移動され、開口部３６Ｂがシャッタ４０により閉鎖される場合には、中間ゾーン３６、充填室３０、搬送室１９の順で圧力が高くなるように各区画３６、３０、１９へのエアの供給が制御される（中間ゾーン３６＜充填室３０＜搬送室１９）。この制御により、中間ゾーン３６内の圧力を、第２運転モード時に、充填室３０内および搬送室１９内よりも陰圧に維持することができる。その結果、充填室３０内の雰囲気が開口部３８Ｂから漏れ出て、搬送室１９内に流入することを防止することができる。
【００３２】
図３は、搬送室１９から開口部３６Ｂを通して供給／排出ホイール３４が設置された中間ゾーン３６を見た矢視図である。図３（Ａ）は、シャッタ４０が開かれ、可動区画３４１が退避前の位置で回転ホイール３４Ｈの一部を構成し、グリッパ３４Ｇがセンターホイール１８との間で容器を受け渡す第１運転モードの状態を示し、図３（Ｂ）は、可動区画３４１が退避位置にまで移動され、グリッパ３４Ｇが駆動されず（センターホイール１８から容器を受け取らず）、シャッタ４０が閉じられた第２運転モードでの状態が示される。なお、充填システム１０における第１運転モードと第２運転モードの間の切り替えは、図示しない制御部によって行われる。
【００３３】
図３（Ａ）、（Ｂ）に示されるように、例えばシャッタ４０の上辺はサポート部材４０Ｓにより保持され、サポート部材４０Ｓは、ラック４０Ｒによって支持される。ラック４０Ｒは、モータ４０Ｍにより駆動されるピニオンとギヤボックス４０Ｇにおいて係合し、モータ４０Ｍの回転により昇降され、これによりシャッタ４０が開口部３６Ｂを開閉するように昇降可能である。
【００３４】
図４は、充填室３０、中間ゾーン３６、搬送室１９における供給／排出ホイール３４の配置を示す平面図であり、図４（Ａ）は、充填室３０のフィラ３２が使用される第１運転モードで運転される場合、図４（Ｂ）は、充填室３０のフィラ３２が使用されず、供給／排出ホイール３４の可動区画３４１を退避させシャッタ４０を閉じてフィラ３２の洗浄が行われる状態において、センターホイール１８および他のフィラが使用される第２運転モードで運転される場合を示す。
【００３５】
図４（Ａ）に示されるように、フィラ３２が使用される場合には、供給／排出ホイール３４において、可動区画３４１は、固定区画３４０とともに円形の回転ホイール３４Ｈを構成し、回転ホイール３４Ｈの一部は開口部３６Ｂを通して搬送室１９へと突出し、回転ホイール３４Ｈの外周に設けられたグリッパ３４Ｇは、搬送室１９において搬送ホイール１８のグリッパと容器の受け渡しができる位置にまで延出する。なおこのとき、搬送ホイール１８、供給／排出ホイール３４、フィラ３２の回転は、当然のことながら各グリッパ間において容器Ｖの受け渡しができるように同期されている。
【００３６】
図４（Ｂ）の状態では、フィラ３２と供給／排出ホイール３４の運転は停止され、搬送ホイール１８は、他のフィラの供給／排出ホイールへと容器を搬送している。図４（Ｂ）に示されるように、可動区画３４１は、固定区画３４０の上方に重ねた退避位置に移動され、可動区画３４１が取り除かれた回転ホイール３４Ｈの円弧部分が、開口部３６Ｂに正対され、モータ４０Ｍの駆動によりシャッタ４０が閉じられる。
【００３７】
以上のような構成において、本実施形態の充填システム１０、例えば以下のように運用される。例えば第１フィラ１２で容器Ｖに固形物を投入し、第２フィラ１４で、液体を投入する場合には、第１、第２フィラ１２、１４が運転されるとともに、シャッタ４０が開かれた状態で、第１、第２供給ホイール１２Ａ、１４Ａ、第１、第２排出ホイール１２Ｂ、１４Ｂが図３（Ａ）、図４（Ａ）の状態で運転される。なお、このとき第３フィラ１６は運転されない。
【００３８】
一方、例えば、液体を投入する第２フィラ１４およびガスを投入する第３フィラ１６のみが使用され、固体を投入する第１フィラ１２は使用されない場合には、第１フィラ１２、第１供給ホイール１２Ａ、第１排出ホイール１２Ｂの運転は停止され、第１供給ホイール１２Ａ、第１排出ホイール１２Ｂの可動区画３４１が退避位置に移動され、２台のシャッタ４０により、供第１給ホイール１２Ａ、第１排出ホイール１２Ｂに対応して第１中間ゾーン１３Ｍの仕切り壁３６Ａに設けられた２つの開口部３６Ｂが閉じられる。これにより、第１フィラ１２が設置される充填室１３および第１中間ゾーン１３Ｍが、センターホイール１８が設置される搬送室１９から分離され、センターホイール１８の運転を行い、第２、第３フィラ１４、１６へ容器を搬送しながら、第１フィラ１２の洗浄を行うことができる。
【００３９】
以上のように、本実施形態によれば、一部の充填機で充填作業を行いつつ、使用していない充填機の洗浄作業が可能な充填システムであって、洗浄作業中の充填機を配置したチャンバ内の雰囲気が、他のチャンバへ流入することを防止することができる。
【符号の説明】
【００４０】
１０  充填システム
１２  第１フィラ
１２Ａ  第１供給ホイール
１２Ｂ  第１排出ホイール
１３  第１充填室
１３Ｍ  第１中間ゾーン
１４  第２フィラ
１４Ａ  第２供給ホイール
１４Ｂ  第２排出ホイール
１５  第２充填室
１５Ｍ  第２中間ゾーン
１６  第３フィラ
１６Ａ  第３供給ホイール
１６Ｂ  第３排出ホイール
１７  第３充填室
１７Ｍ  第３中間ゾーン
１８  センターホイール（搬送ホイール）
１８Ｇ  グリッパ
１９  搬送室
３０  充填室
３２  フィラ
３２Ｇ  グリッパ
３４  供給／排出ホイール
３４Ｇ  グリッパ
３４Ｈ  回転ホイール
３６  中間ゾーン
３６Ａ  仕切壁
３６Ｂ  開口部
４０  シャッタ
４２Ｃ  昇降シリンダ
４２Ｒ  回転機構
４４  圧力制御装置
３４０  固定区画
３４１  可動区画
Ｖ  容器
【図１】
2018052048.tif 000003
【図２】
2018052048.tif 000004
【図３】
2018052048.tif 000005
【図４】
2018052048.tif 000006
【国際調査報告】
2018052048.tif 000007
2018052048.tif 000008